(57)【要約】【課題】Ｉｎｔｅｒ-ＲＡＴハンドオーバが行われる際に、ハンドオーバ先の無線アクセス装置において下りリンクデータの順序制御を行う。【解決手段】本発明に係る移動通信方法は、ゲートウェイ装置Ｓ-ＧＷが、第１無線アクセス装置に下りリンクデータを送信する第１状態から、第２無線アクセス装置に下りリンクデータを送信する第２状態に切り替わった場合、第１無線アクセス装置が、ゲートウェイ装置Ｓ-ＧＷから受信した下りリンクデータに特定情報を付与して第２無線アクセス装置に転送する工程と、第２無線アクセス装置が、ゲートウェイ装置Ｓ-ＧＷから送信された新規下りリンクデータよりも先に、第１無線アクセス装置から転送された特定情報が付与されている転送下りリンクデータを移動局ＵＥに送信する工程とを有する。【選択図】図２
2010157908.tif 000002
【特許請求の範囲】
【請求項１】
移動局が、第１無線アクセスネットワーク内の第１無線アクセス装置又は第２無線アクセスネットワーク内の第２無線アクセス装置から下りリンクデータを受信する移動通信方法であって、
前記第１無線アクセスネットワーク及び前記第２無線ネットワークを接続するゲートウェイ装置が、前記第１無線アクセス装置に前記下りリンクデータを送信する第１状態から、前記第２無線アクセス装置に該下りリンクデータを送信する第２状態に切り替わった場合、該第１無線アクセス装置が、該ゲートウェイ装置から受信した該下りリンクデータに特定情報を設定して該第２無線アクセス装置に転送する工程Ａと、
前記第２無線アクセス装置が、前記ゲートウェイ装置から送信された前記特定情報が設定されていない転送下りリンクデータよりも先に、前記第１無線アクセス装置から転送された該特定情報が設定されている転送下りリンクデータを前記移動局に送信する工程Ｂとを有することを特徴とする移動通信方法。
【請求項２】
前記ゲートウェイ装置と前記第２無線アクセスネットワークに接続されている交換局との間で１本の第１トンネルが設定され、
前記交換局と前記第２無線アクセス装置との間で１本の第２トンネルが設定され、
前記第２状態において、前記転送下りリンクデータは、前記第１無線アクセス装置から、前記第１トンネル及び前記第２トンネルを介して、前記第２無線アクセス装置に転送され、
前記第２状態において、前記新規下りリンクデータは、前記ゲートウェイ装置から、前記第１トンネル及び前記第２トンネルを介して、前記第２無線アクセス装置に転送されることを特徴とする請求項１に記載の移動通信方法。
【請求項３】
前記第２無線アクセス装置と前記第１無線アクセスネットワーク及び前記第２無線アクセスネットワークを接続するゲートウェイ装置との間、該ゲートウェイ装置と該第１無線アクセスネットワークに接続されている交換局との間、及び、該交換局と前記第１無線アクセス装置との間で、新規下りリンクデータ用トンネル及び転送下りリンクデータ用トンネルが設定され、
前記工程Ａにおいて、前記第１無線アクセス装置は、前記特定情報が設定された下りリンクデータを、前記転送下りリンクデータ用トンネルを介して前記第２無線アクセス装置に転送することを特徴とする請求項１に記載の移動通信方法。
【請求項４】
前記ゲートウェイ装置が、前記第２状態において、前記第１無線アクセス装置に対して、最後の下りリンクデータを送信した後に、特定メッセージを送信する工程と、
前記第１無線アクセス装置が、前記特定メッセージを、前記第２無線アクセス装置に対して転送する工程とを有し、
前記工程Ｂにおいて、前記第２無線アクセス装置は、前記特定メッセージを受信した後に、前記特定情報が設定されていない転送下りリンクデータを前記移動局に送信することを特徴とする請求項１に記載の移動通信方法。
【請求項５】
移動局が、第１無線アクセスネットワーク内の第１無線アクセス装置又は第２無線アクセスネットワーク内の第２無線アクセス装置から下りリンクデータを受信する移動通信方法であって、
前記第２無線アクセス装置と前記第１無線アクセスネットワーク及び前記第２無線アクセスネットワークを接続するゲートウェイ装置との間、該ゲートウェイ装置と該第１又は第２無線アクセスネットワークに接続されている交換局との間、及び、該交換局と前記第１無線アクセス装置との間で、新規下りリンクデータ用トンネル及び転送下りリンクデータ用トンネルが設定され、
前記ゲートウェイ装置が、前記新規下りリンクデータ用トンネルを介して前記第１無線アクセス装置に前記下りリンクデータを送信する第１状態から、該新規下りリンクデータ用トンネルを介して前記第２無線アクセス装置に該下りリンクデータを送信する第２状態に切り替わった場合、該第１無線アクセス装置が、該ゲートウェイ装置から受信した該下りリンクデータを、前記転送下りリンクデータ用トンネルを介して該第２無線アクセス装置に転送する工程を有し、
前記工程において、前記第１無線アクセス装置は、前記第２無線アクセス装置に転送する最後の下りリンクデータを送信した後に、該第２無線アクセス装置に対して特定メッセージを送信し、
前記第２無線アクセス装置は、前記ゲートウェイ装置から送信された新規下りリンクデータよりも先に、前記第１無線アクセス装置から転送された転送下りリンクデータを前記移動局に送信し、前記特定メッセージを受信した後に、該新規下りリンクデータを該移動局に送信することを特徴とする移動通信方法。
【請求項６】
移動局が、第１無線アクセスネットワーク内の第１無線アクセス装置又は第２無線アクセスネットワーク内の第２無線アクセス装置から下りリンクデータを受信する移動通信方法であって、
前記第１無線アクセスネットワーク及び前記第２無線ネットワークを接続するゲートウェイ装置は、前記第１無線アクセス装置に前記下りリンクデータを送信する第１状態から、前記第２無線アクセス装置に該下りリンクデータを送信する第２状態に切り替わった場合であっても、該第１無線アクセス装置が、該ゲートウェイ装置から受信した該下りリンクデータを全て該第２無線アクセス装置に転送し終わるまでは、該下りリンクデータを該第２無線アクセス装置に送信しないことを特徴とする移動通信方法。
【請求項７】
前記ゲートウェイ装置と前記第２無線アクセスネットワークに接続されている交換局との間で１本の第１トンネルが設定され、
前記交換局と前記第２無線アクセス装置との間で１本の第２トンネルが設定され、
前記第２状態において、前記転送下りリンクデータは、前記第１無線アクセス装置から、前記第１トンネル及び前記第２トンネルを介して、前記第２無線アクセス装置に転送され、
前記第２状態において、前記新規下りリンクデータは、前記ゲートウェイ装置から、前記第１トンネル及び前記第２トンネルを介して、前記第２無線アクセス装置に転送されることを特徴とする請求項６に記載の移動通信方法。
【請求項８】
前記第２無線アクセス装置と前記第１無線アクセスネットワーク及び前記第２無線アクセスネットワークを接続するゲートウェイ装置との間、該ゲートウェイ装置と該第１無線アクセスネットワークに接続されている交換局との間、及び、該交換局と前記第１無線アクセス装置との間で、新規下りリンクデータ用トンネル及び転送下りリンクデータ用トンネルが設定され、
前記第１無線アクセス装置は、前記新規下りリンクデータ用トンネルを介して受信した下りリンクデータを、前記転送下りリンクデータ用トンネルを介して前記第２無線アクセス装置に転送することを特徴とする請求項６に記載の移動通信方法。
【請求項９】
前記ゲートウェイ装置が、前記第２状態において、前記第１無線アクセス装置に対して、最後の下りリンクデータを送信した後に、特定メッセージを送信する工程と、
前記第１無線アクセス装置が、前記特定メッセージを、前記第２無線アクセス装置に対して転送する工程とを有し、
前記第２無線アクセス装置は、前記特定メッセージを受信した場合に、前記下りリンクデータを全て該第２無線アクセス装置に転送し終わったと判断することを特徴とする請求項６に記載の移動通信方法。
【請求項１０】
移動局が、第１無線アクセスネットワーク内の第１無線アクセス装置又は第２無線アクセスネットワーク内の第２無線アクセス装置から下りリンクデータを受信するように構成されている移動通信システムにおいて、該第１無線アクセス装置として動作することができる無線アクセス装置であって、
前記第１無線アクセスネットワーク及び前記第２無線ネットワークを接続するゲートウェイ装置が、前記第１無線アクセス装置に前記下りリンクデータを送信する第１状態から、前記第２無線アクセス装置に該下りリンクデータを送信する第２状態に切り替わった場合に、該ゲートウェイ装置から受信した前記下りリンクデータに特定情報を設定して該第２無線アクセス装置に転送するように構成されていることを特徴とする無線アクセス装置。
【請求項１１】
移動局が、第１無線アクセスネットワーク内の第１無線アクセス装置又は第２無線アクセスネットワーク内の第２無線アクセス装置から下りリンクデータを受信するように構成されている移動通信システムにおいて、該第２無線アクセス装置として動作することができる無線アクセス装置であって、
前記第１無線アクセスネットワーク及び前記第２無線ネットワークを接続するゲートウェイ装置が、前記第１無線アクセス装置に前記下りリンクデータを送信する第１状態から、前記第２無線アクセス装置に該下りリンクデータを送信する第２状態に切り替わった場合に、該ゲートウェイ装置から送信された特定情報が設定されていない新規下りリンクデータよりも先に、該第１無線アクセス装置から転送された該特定情報が設定されている転送下りリンクデータを前記移動局に送信するように構成されていることを特徴とする無線アクセス装置。
【請求項１２】
移動局が、第１無線アクセスネットワーク内の第１無線アクセス装置又は第２無線アクセスネットワーク内の第２無線アクセス装置から下りリンクデータを受信するように構成されている移動通信システムにおいて、該第２無線アクセス装置として動作することができる無線アクセス装置であって、
前記第２無線アクセス装置と前記第１無線アクセスネットワーク及び前記第２無線アクセスネットワークを接続するゲートウェイ装置との間、該ゲートウェイ装置と該第１又は第２無線アクセスネットワークに接続されている交換局との間、及び、該交換局と前記第１無線アクセス装置との間で、新規下りリンクデータ用トンネル及び転送下りリンクデータ用トンネルが設定されるように構成されており、
前記ゲートウェイ装置が、前記新規下りリンクデータ用トンネルを介して前記第１無線アクセス装置に前記下りリンクデータを送信する第１状態から、該新規下りリンクデータ用トンネルを介して前記第２無線アクセス装置に該下りリンクデータを送信する第２状態に切り替わった場合、該ゲートウェイ装置から該新規下りリンクデータ用トンネルを介して送信された新規下りリンクデータよりも先に、該第１無線アクセス装置から前記転送下りリンクデータ用トンネルを介して転送された転送下りリンクデータを前記移動局に送信し、特定メッセージを受信した後に、該新規下りリンクデータを該移動局に送信するように構成されていることを特徴とする無線アクセス装置。
【請求項１３】
移動局が、第１無線アクセスネットワーク内の第１無線アクセス装置又は第２無線アクセスネットワーク内の第２無線アクセス装置から下りリンクデータを受信するように構成されている移動通信システムにおいて、該第１無線アクセスネットワークと該第２無線ネットワークとを接続するゲートウェイ装置であって、
前記第１無線アクセス装置に前記下りリンクデータを送信する第１状態から、前記第２無線アクセス装置に該下りリンクデータを送信する第２状態に切り替わった場合であっても、該第１無線アクセス装置が、前記ゲートウェイ装置から受信した該下りリンクデータを全て該第２無線アクセス装置に転送し終わるまでは、該下りリンクデータを該第２無線アクセス装置に送信しないように構成されていることを特徴とするゲートウェイ装置。
【発明の詳細な説明】
【技術分野】
【０００１】
本発明は、移動通信方法、無線アクセス装置及びゲートウェイ装置に関する。
【背景技術】
【０００２】
３ＧＰＰで規定されている移動通信システムでは、移動局ＵＥが、Ｅ-ＵＴＲＡＮ（Ｅｖｏｌｖｅｄ  Ｔｅｒｒｅｓｔｒｉａｌ  Ｒａｄｉｏ  Ａｃｃｅｓｓ  Ｎｅｔｗｏｒｋ）方式のセルとＵＴＲＡＮ方式のセルとの間で、Ｉｎｔｅｒ-ＲＡＴ（Ｒａｄｉｏ  Ａｃｃｅｓｓ  Ｔｅｃｈｎｏｌｏｇｙ）ハンドオーバを行う場合、ハンドオーバ元の無線アクセス装置（例えば、無線回線制御局ＲＮＣや無線基地局ｅＮＢ）は、図１５に示すように、サービングゲートウェイ装置Ｓ-ＧＷから送信された移動局ＵＥ宛ての下りリンクデータを、ハンドオーバ先の無線アクセス装置に転送可能となるように構成されている。
【非特許文献１】３ＧＰＰ  ＴＳ２３.４０１
【発明の開示】
【発明が解決しようとする課題】
【０００３】
しかしながら、従来の移動通信システムでは、ハンドオーバ先の無線アクセス装置は、上述のようなハンドオーバ元の無線アクセス装置から転送された下りリンクデータだけではなく、サービングゲートウェイ装置Ｓ-ＧＷから送信された下りリンクデータも受信するように構成されている。
【０００４】
かかる場合、ハンドオーバ先の無線アクセス装置は、ハンドオーバ元の無線アクセス装置から転送された下りリンクデータとサービングゲートウェイ装置Ｓ-ＧＷから送信された下りリンクデータとを容易に区別することができず、両者の順序制御を行うことが困難であるという問題点があった。
【０００５】
そこで、本発明は、上述の課題に鑑みてなされたものであり、Ｉｎｔｅｒ-ＲＡＴハンドオーバが行われる際に、ハンドオーバ先の無線アクセス装置において下りリンクデータの順序制御を行うことを可能とする移動通信方法、無線アクセス装置及びゲートウェイ装置を提供することを目的とする。
【課題を解決するための手段】
【０００６】
本発明の第１の特徴は、移動局が、第１無線アクセスネットワーク内の第１無線アクセス装置又は第２無線アクセスネットワーク内の第２無線アクセス装置から下りリンクデータを受信する移動通信方法であって、前記第１無線アクセスネットワーク及び前記第２無線ネットワークを接続するゲートウェイ装置が、前記第１無線アクセス装置に前記下りリンクデータを送信する第１状態から、前記第２無線アクセス装置に該下りリンクデータを送信する第２状態に切り替わった場合、該第１無線アクセス装置が、該ゲートウェイ装置から受信した該下りリンクデータに特定情報を設定して該第２無線アクセス装置に転送する工程Ａと、前記第２無線アクセス装置が、前記ゲートウェイ装置から送信された前記特定情報が設定されていない転送下りリンクデータよりも先に、前記第１無線アクセス装置から転送された該特定情報が設定されている転送下りリンクデータを前記移動局に送信する工程Ｂとを有することを要旨とする。
【０００７】
本発明の第１の特徴において、前記ゲートウェイ装置と前記第２無線アクセスネットワークに接続されている交換局との間で１本の第１トンネルが設定され、前記交換局と前記第２無線アクセス装置との間で１本の第２トンネルが設定され、前記第２状態において、前記転送下りリンクデータは、前記第１無線アクセス装置から、前記第１トンネル及び前記第２トンネルを介して、前記第２無線アクセス装置に転送され、前記第２状態において、前記新規下りリンクデータは、前記ゲートウェイ装置から、前記第１トンネル及び前記第２トンネルを介して、前記第２無線アクセス装置に転送されてもよい。
【０００８】
本発明の第１の特徴において、前記第２無線アクセス装置と前記第１無線アクセスネットワーク及び前記第２無線アクセスネットワークを接続するゲートウェイ装置との間、該ゲートウェイ装置と該第１無線アクセスネットワークに接続されている交換局との間、及び、該交換局と前記第１無線アクセス装置との間で、新規下りリンクデータ用トンネル及び転送下りリンクデータ用トンネルが設定され、前記工程Ａにおいて、前記第１無線アクセス装置は、前記特定情報が設定された下りリンクデータを、前記転送下りリンクデータ用トンネルを介して前記第２無線アクセス装置に転送してもよい。
【０００９】
本発明の第１の特徴において、前記ゲートウェイ装置が、前記第２状態において、前記第１無線アクセス装置に対して、最後の下りリンクデータを送信した後に、特定メッセージを送信する工程と、前記第１無線アクセス装置が、前記特定メッセージを、前記第２無線アクセス装置に対して転送する工程とを有し、前記工程Ｂにおいて、前記第２無線アクセス装置は、前記特定メッセージを受信した後に、前記特定情報が設定されていない転送下りリンクデータを前記移動局に送信してもよい。
【００１０】
本発明の第２の特徴は、移動局が、第１無線アクセスネットワーク内の第１無線アクセス装置又は第２無線アクセスネットワーク内の第２無線アクセス装置から下りリンクデータを受信する移動通信方法であって、前記第２無線アクセス装置と前記第１無線アクセスネットワーク及び前記第２無線アクセスネットワークを接続するゲートウェイ装置との間、該ゲートウェイ装置と該第１又は第２無線アクセスネットワークに接続されている交換局との間、及び、該交換局と前記第１無線アクセス装置との間で、新規下りリンクデータ用トンネル及び転送下りリンクデータ用トンネルが設定され、前記ゲートウェイ装置が、前記新規下りリンクデータ用トンネルを介して前記第１無線アクセス装置に前記下りリンクデータを送信する第１状態から、該新規下りリンクデータ用トンネルを介して前記第２無線アクセス装置に該下りリンクデータを送信する第２状態に切り替わった場合、該第１無線アクセス装置が、該ゲートウェイ装置から受信した該下りリンクデータを、前記転送下りリンクデータ用トンネルを介して該第２無線アクセス装置に転送する工程を有し、前記工程において、前記第１無線アクセス装置は、前記第２無線アクセス装置に転送する最後の下りリンクデータを送信した後に、該第２無線アクセス装置に対して特定メッセージを送信し、前記第２無線アクセス装置は、前記ゲートウェイ装置から送信された新規下りリンクデータよりも先に、前記第１無線アクセス装置から転送された転送下りリンクデータを前記移動局に送信し、前記特定メッセージを受信した後に、該新規下りリンクデータを該移動局に送信することを要旨とする。
【００１１】
本発明の第３の特徴は、移動局が、第１無線アクセスネットワーク内の第１無線アクセス装置又は第２無線アクセスネットワーク内の第２無線アクセス装置から下りリンクデータを受信する移動通信方法であって、前記第１無線アクセスネットワーク及び前記第２無線ネットワークを接続するゲートウェイ装置は、前記第１無線アクセス装置に前記下りリンクデータを送信する第１状態から、前記第２無線アクセス装置に該下りリンクデータを送信する第２状態に切り替わった場合であっても、該第１無線アクセス装置が、該ゲートウェイ装置から受信した該下りリンクデータを全て該第２無線アクセス装置に転送し終わるまでは、該下りリンクデータを該第２無線アクセス装置に送信しないことを要旨とする。
【００１２】
本発明の第３の特徴において、前記ゲートウェイ装置と前記第２無線アクセスネットワークに接続されている交換局との間で１本の第１トンネルが設定され、前記交換局と前記第２無線アクセス装置との間で１本の第２トンネルが設定され、前記第２状態において、前記転送下りリンクデータは、前記第１無線アクセス装置から、前記第１トンネル及び前記第２トンネルを介して、前記第２無線アクセス装置に転送され、前記第２状態において、前記新規下りリンクデータは、前記ゲートウェイ装置から、前記第１トンネル及び前記第２トンネルを介して、前記第２無線アクセス装置に転送されてもよい。
【００１３】
本発明の第３の特徴において、前記第２無線アクセス装置と前記第１無線アクセスネットワーク及び前記第２無線アクセスネットワークを接続するゲートウェイ装置との間、該ゲートウェイ装置と該第１無線アクセスネットワークに接続されている交換局との間、及び、該交換局と前記第１無線アクセス装置との間で、新規下りリンクデータ用トンネル及び転送下りリンクデータ用トンネルが設定され、前記第１無線アクセス装置は、前記新規下りリンクデータ用トンネルを介して受信した下りリンクデータを、前記転送下りリンクデータ用トンネルを介して前記第２無線アクセス装置に転送してもよい。
【００１４】
本発明の第３の特徴において、前記ゲートウェイ装置が、前記第２状態において、前記第１無線アクセス装置に対して、最後の下りリンクデータを送信した後に、特定メッセージを送信する工程と、前記第１無線アクセス装置が、前記特定メッセージを、前記第２無線アクセス装置に対して転送する工程とを有し、前記第２無線アクセス装置は、前記特定メッセージを受信した場合に、前記下りリンクデータを全て該第２無線アクセス装置に転送し終わったと判断してもよい。
【００１５】
本発明の第４の特徴は、移動局が、第１無線アクセスネットワーク内の第１無線アクセス装置又は第２無線アクセスネットワーク内の第２無線アクセス装置から下りリンクデータを受信するように構成されている移動通信システムにおいて、該第１無線アクセス装置として動作することができる無線アクセス装置であって、前記第１無線アクセスネットワーク及び前記第２無線ネットワークを接続するゲートウェイ装置が、前記第１無線アクセス装置に前記下りリンクデータを送信する第１状態から、前記第２無線アクセス装置に該下りリンクデータを送信する第２状態に切り替わった場合に、該ゲートウェイ装置から受信した前記下りリンクデータに特定情報を設定して該第２無線アクセス装置に転送するように構成されていることを要旨とする。
【００１６】
本発明の第５の特徴は、移動局が、第１無線アクセスネットワーク内の第１無線アクセス装置又は第２無線アクセスネットワーク内の第２無線アクセス装置から下りリンクデータを受信するように構成されている移動通信システムにおいて、該第２無線アクセス装置として動作することができる無線アクセス装置であって、前記第１無線アクセスネットワーク及び前記第２無線ネットワークを接続するゲートウェイ装置が、前記第１無線アクセス装置に前記下りリンクデータを送信する第１状態から、前記第２無線アクセス装置に該下りリンクデータを送信する第２状態に切り替わった場合に、該ゲートウェイ装置から送信された特定情報が設定されていない新規下りリンクデータよりも先に、該第１無線アクセス装置から転送された該特定情報が設定されている転送下りリンクデータを前記移動局に送信するように構成されていることを要旨とする。
【００１７】
本発明の第６の特徴は、移動局が、第１無線アクセスネットワーク内の第１無線アクセス装置又は第２無線アクセスネットワーク内の第２無線アクセス装置から下りリンクデータを受信するように構成されている移動通信システムにおいて、該第２無線アクセス装置として動作することができる無線アクセス装置であって、前記第２無線アクセス装置と前記第１無線アクセスネットワーク及び前記第２無線アクセスネットワークを接続するゲートウェイ装置との間、該ゲートウェイ装置と該第１又は第２無線アクセスネットワークに接続されている交換局との間、及び、該交換局と前記第１無線アクセス装置との間で、新規下りリンクデータ用トンネル及び転送下りリンクデータ用トンネルが設定されるように構成されており、前記ゲートウェイ装置が、前記新規下りリンクデータ用トンネルを介して前記第１無線アクセス装置に前記下りリンクデータを送信する第１状態から、該新規下りリンクデータ用トンネルを介して前記第２無線アクセス装置に該下りリンクデータを送信する第２状態に切り替わった場合、該ゲートウェイ装置から該新規下りリンクデータ用トンネルを介して送信された新規下りリンクデータよりも先に、該第１無線アクセス装置から前記転送下りリンクデータ用トンネルを介して転送された転送下りリンクデータを前記移動局に送信し、特定メッセージを受信した後に、該新規下りリンクデータを該移動局に送信するように構成されていることを要旨とする。
【００１８】
本発明の第７の特徴は、移動局が、第１無線アクセスネットワーク内の第１無線アクセス装置又は第２無線アクセスネットワーク内の第２無線アクセス装置から下りリンクデータを受信するように構成されている移動通信システムにおいて、該第１無線アクセスネットワークと該第２無線ネットワークとを接続するゲートウェイ装置であって、前記第１無線アクセス装置に前記下りリンクデータを送信する第１状態から、前記第２無線アクセス装置に該下りリンクデータを送信する第２状態に切り替わった場合であっても、該第１無線アクセス装置が、前記ゲートウェイ装置から受信した該下りリンクデータを全て該第２無線アクセス装置に転送し終わるまでは、該下りリンクデータを該第２無線アクセス装置に送信しないように構成されていることを要旨とする。
【発明の効果】
【００１９】
以上説明したように、本発明によれば、Ｉｎｔｅｒ-ＲＡＴハンドオーバが行われる際に、ハンドオーバ先の無線アクセス装置において下りリンクデータの順序制御を行うことを可能とする移動通信方法、無線アクセス装置及びゲートウェイ装置を提供することができる。
【発明を実施するための最良の形態】
【００２０】
（本発明の第１の実施形態に係る移動通信システム）
図１乃至図４を参照して、本発明の第１の実施形態に係る移動通信システムについて説明する。
【００２１】
図１及び図２に示すように、本実施形態に係る移動通信システムでは、Ｅ-ＵＴＲＡＮ方式の無線アクセスネットワークとＵＴＲＡＮ方式の無線アクセスネットワークとが混在している。
【００２２】
本実施形態では、移動局ＵＥが、ＵＴＲＡＮ方式の無線アクセスネットワーク（第１無線アクセスネットワーク）のセルから、Ｅ-ＵＴＲＡＮ方式の無線アクセスネットワーク（第２無線アクセスネットワーク）のセルに、Ｉｎｔｅｒ-ＲＡＴハンドオーバを行う場合の例について説明する。
【００２３】
図１に示すように、ＵＴＲＡＮ方式の無線アクセスネットワーク内の無線回線制御局ＲＮＣ（第１無線アクセス装置、Ｓｏｕｒｃｅ-ＲＮＣ）が、ステップＳ１０１において、移動局ＵＥのＵＴＲＡＮ方式の無線アクセスネットワークのセルからＥ-ＵＴＲＡＮ方式の無線アクセスネットワークのセルへのＩｎｔｅｒ-ＲＡＴハンドオーバの開始を決定すると、ステップＳ１０１において、ＵＴＲＡＮ方式の無線アクセスネットワークに接続されている交換局ＳＧＳＮ（Ｓｏｕｒｃｅ-ＳＧＳＮ）に対して、上述のＩｎｔｅｒ-ＲＡＴハンドオーバを行うことを要求する「Ｒｅｌｏｃａｔｉｏｎ  Ｒｅｑｕｉｒｅｄ」メッセージを送信する。
【００２４】
ステップＳ１０２において、交換局ＳＧＳＮが、ＵＴＲＡＮ方式の無線アクセスネットワークとＥ-ＵＴＲＡＮ方式の無線アクセスネットワークとを接続しているモビリティ管理装置ＭＭＥ（Ｔａｒｇｅｔ-ＭＭＥ）に対して、「Ｆｏｒｗａｒｄ  Ｒｅｌｏｃａｔｉｏｎ  Ｒｅｑｕｉｒｅｄ」メッセージを送信する。
【００２５】
ステップＳ１０３において、モビリティ管理装置ＭＭＥが、Ｅ-ＵＴＲＡＮ方式の無線アクセスネットワーク内の無線基地局ｅＮＢ（第２無線アクセス装置、Ｔａｒｇｅｔ-ｅＮＢ）に対して、「Ｈａｎｄｏｖｅｒ  Ｒｅｑｕｅｓｔ」メッセージを送信する。
【００２６】
ここで、かかる「Ｈａｎｄｏｖｅｒ  Ｒｅｑｕｅｓｔ」メッセージには、サービングゲートウェイ装置Ｓ-ＧＷと無線基地局ｅＮＢとの間で設定されている上りリンクデータ用トンネルのサービングゲートウェイ装置Ｓ-ＧＷ側のエンドポイントを識別するための「ＴＥＩＤ（Ｔｕｎｎｅｌ  Ｅｎｄｐｏｉｎｔ  Ｉｄｅｎｔｉｆｉｅｒ）」が含まれている。
【００２７】
ステップＳ１０４において、無線基地局ｅＮＢが、モビリティ管理装置ＭＭＥに対して、「Ｈａｎｄｏｖｅｒ  Ｒｅｑｕｅｓｔ  ＡＣＫ」メッセージを送信する。
【００２８】
ここで、かかる「Ｈａｎｄｏｖｅｒ  Ｒｅｑｕｅｓｔ  ＡＣＫ」メッセージには、サービングゲートウェイ装置Ｓ-ＧＷと無線基地局ｅＮＢとの間で設定されている新規下りリンクデータ用トンネル＃Ａ１の無線基地局ｅＮＢ側のエンドポイントを識別するための「ＴＥＩＤ」、及び、サービングゲートウェイ装置Ｓ-ＧＷと無線基地局ｅＮＢとの間で設定されている転送下りリンクデータ用トンネル＃Ａ２の無線基地局ｅＮＢ側のエンドポイントを識別するための「ＴＥＩＤ」が含まれている。
【００２９】
なお、新規下りリンクデータは、サービングゲートウェイ装置Ｓ-ＧＷから交換局ＳＧＳＮを介して無線回線制御局ＲＮＣに送信される下りリンクデータである。
【００３０】
また、転送下りリンクデータは、無線基地局ｅＮＢからサービングゲートウェイ装置Ｓ-ＧＷ及び交換局ＳＧＳＮを介して無線回線制御局ＲＮＣに転送される下りリンクデータである。
【００３１】
ステップＳ１０６において、サービングゲートウェイ装置Ｓ-ＧＷが、交換局ＳＧＳＮに対して、「Ｆｏｒｗａｒｄ  Ｒｅｌｏｃａｔｉｏｎ  Ｒｅｓｐｏｎｓｅ」メッセージを送信する。
【００３２】
ここで、かかる「Ｆｏｒｗａｒｄ  Ｒｅｌｏｃａｔｉｏｎ  Ｒｅｓｐｏｎｓｅ」メッセージには、サービングゲートウェイ装置Ｓ-ＧＷと交換局ＳＧＳＮとの間で設定されている転送下りリンクデータ用トンネル＃Ａ４のサービングゲートウェイ装置Ｓ-ＧＷ側のエンドポイントを識別するための「ＴＥＩＤ」が含まれている。
【００３３】
ステップＳ１０８において、交換局ＳＧＳＮが、無線回線制御局ＲＮＣに対して、「Ｒｅｌｏｃａｔｉｏｎ  Ｃｏｍｍａｎｄ」メッセージを送信する。
【００３４】
ここで、かかる「Ｒｅｌｏｃａｔｉｏｎ  Ｃｏｍｍａｎｄ」メッセージには、交換局ＳＧＳＮと無線回線制御局ＲＮＣとの間で設定されている転送下りリンクデータ用トンネル＃Ａ６の交換局ＳＧＳＮ側のエンドポイントを識別するための「ＴＥＩＤ」が含まれている。
【００３５】
ここで、無線基地局ｅＮＢ側における新規下りリンクデータ用トンネル＃Ａ１及び転送下りリンクデータ用トンネル＃Ａ２のエンドポイントを識別するための「ＴＥＩＤ」をサービングゲートウェイ装置Ｓ-ＧＷに通知するタイミングは、ステップＳ１０５又はＳ１０７のいずれかで行ってもよい。
【００３６】
なお、新規下りリンクデータ用トンネル＃Ａ３は、サービングゲートウェイ装置Ｓ-ＧＷと交換局ＳＧＳＮとの間で設定されているＩｎｔｅｒ-ＲＡＴハンドオーバ前の新規下りリンクデータ用トンネルであり、新規下りリンクデータ用トンネル＃Ａ５は、交換局ＳＧＳＮと無線回線制御局ＲＮＣとの間で設定されているＩｎｔｅｒ-ＲＡＴハンドオーバ前の新規下りリンクデータ用トンネルである。
【００３７】
その後、サービングゲートウェイ装置Ｓ-ＧＷが、パススイッチを行った場合、すなわち、無線回線制御局ＲＮＣに下りリンクデータを送信する第１状態から、無線基地局ｅＮＢに下りリンクデータを送信する第２状態に切り替わった場合、図２に示すように、無線回線制御局ＲＮＣは、サービングゲートウェイ装置Ｓ-ＧＷから受信した下りリンクデータに特定情報（例えば、「Ｓｐａｒｅビット」における「１」や、「Ｎｅｘｔ  Ｅｘｔｅｎｓｉｏｎ  Ｈｅａｄｅｒ  Ｆｉｅｌｄ  Ｖａｌｕｅ」における上位２ビットが「１１」で始まる値）を設定して無線基地局ｅＮＢに転送するように構成されている。
【００３８】
例えば、図３に示すように、無線回線制御局ＲＮＣは、下りリンクデータのＧＴＰ-Ｕヘッダにおける特定ビット（Ｓｐａｒｅビット）、すなわち、第１番目のオクテットの第４番目のビットに「１」を設定にして当該下りリンクデータを無線基地局ｅＮＢに転送するように構成されていてもよい。
【００３９】
或いは、図４に示すように、ＧＴＰ-Ｕヘッダにおいて、データ転送識別用の「Ｔｙｐｅ  ｏｆ  Ｅｘｔｅｎｓｉｏｎ  Ｈｅａｄｅｒ」を新規に定義し、そのための「Ｎｅｘｔ  Ｅｘｔｅｎｓｉｏｎ  Ｈｅａｄｅｒ  Ｆｉｅｌｄ  Ｖａｌｕｅ」、例えば、「１０００００００」又は「１１００００１１」を定義する。
【００４０】
無線回線制御局ＲＮＣは、下りリンクデータ（パケット）のＧＴＰ-Ｕヘッダにおける「Ｎｅｘｔ  Ｅｘｔｅｎｓｉｏｎ  Ｈｅａｄｅｒ  Ｔｙｐｅ」に、上述したデータ転送識別用のための「Ｎｅｘｔ  Ｅｘｔｅｎｓｉｏｎ  Ｈｅａｄｅｒ  Ｆｉｅｌｄ  Ｖａｌｕｅ」を設定して当該下りリンクデータを無線基地局ｅＮＢに転送するように構成されていてもよい。
【００４１】
ここで、上述したデータ転送識別用のための「Ｎｅｘｔ  Ｅｘｔｅｎｓｉｏｎ  Ｈｅａｄｅｒ  Ｆｉｅｌｄ  Ｖａｌｕｅ」に上位２ビットが「１１」で始まる値が設定されている場合、例えば、「１１００００１１」が設定されている場合、交換局ＳＧＳＮ及びサービングゲートウェイ装置Ｓ-ＧＷも、かかる「Ｎｅｘｔ  Ｅｘｔｅｎｓｉｏｎ  Ｈｅａｄｅｒ  Ｔｙｐｅ」を解析した上で、下りリンクデータを転送するように構成されていてもよい。
【００４２】
一方、上記のデータ転送識別用のための「Ｎｅｘｔ  Ｅｘｔｅｎｓｉｏｎ  Ｈｅａｄｅｒ  Ｆｉｅｌｄ  Ｖａｌｕｅ」に上位２ビットが「１０」で始まる値が場合、例えば、「１０００００００」が設定されている場合、交換局ＳＧＳＮ及びサービングゲートウェイ装置Ｓ-ＧＷも、かかる「Ｎｅｘｔ  Ｅｘｔｅｎｓｉｏｎ  Ｈｅａｄｅｒ  Ｔｙｐｅ」を解析することなく、下りリンクデータを転送するように構成されていてもよい。
【００４３】
ここで、サービングゲートウェイ装置Ｓ-ＧＷが、パススイッチを行った後で、かつ、新規下りリンクデータ用トンネル＃Ａ３、＃Ａ５を介して無線回線制御局ＲＮＣに対して最後の下りリンクデータを送信した後に、新規下りリンクデータ用トンネル＃Ａ３、＃Ａ５を介して、ＧＴＰ-Ｕメッセージである「Ｅｎｄ  Ｍａｒｋｅｒメッセージ（特定メッセージ）」を送信するように構成されてもよい。
【００４４】
そして、無線回線制御局ＲＮＣは、サービングゲートウェイ装置Ｓ-ＧＷによって送信された「Ｅｎｄ  Ｍａｒｋｅｒメッセージ」を受信した場合、無線基地局ｅＮＢに対して、転送下りリンクデータ用トンネル＃Ａ６、＃Ａ４、＃Ａ２を介して「Ｅｎｄ  Ｍａｒｋｅｒメッセージ」を転送するように構成されている。
【００４５】
無線基地局ｅＮＢは、ＧＴＰ-Ｕメッセージである「Ｅｎｄ  Ｍａｒｋｅｒメッセージ」を受信することによって、新規下りリンクデータ用トンネル＃Ａ３、＃Ａ５を介して送信された下りリンクデータの転送が完了したことを認識することができる。
【００４６】
また、無線基地局ｅＮＢは、サービングゲートウェイ装置Ｓ-ＧＷから送信された特定情報が設定されていない新規下りリンクデータ（新規下りリンクデータ）よりも先に、無線回線制御局ＲＮＣから転送された特定情報が設定されている転送下りリンクデータ（転送下りリンクデータ）を移動局ＵＥに送信するように構成されている。
【００４７】
なお、下りリンクデータは、上述のトンネル＃Ａ１乃至＃Ａ６内では、ＧＴＰ-Ｕヘッダが付与されているパケット形状で送信されるように構成されているものとする。
【００４８】
本発明の第１の実施形態に係る移動通信システムによれば、Ｉｎｔｅｒ-ＲＡＴハンドオーバが行われる際に、ハンドオーバ先の無線アクセス装置である無線基地局ｅＮＢが、特定情報が設定されているか否かに基づいて、転送下りリンクデータと新規下りリンクデータとを区別することができるため、両者についての順序制御を行うことができる。
【００４９】
（本発明の第２の実施形態に係る移動通信システム）
図５及び図６を参照して、本発明の第２の実施形態に係る移動通信システムについて説明する。以下、本実施形態に係る移動通信システムについて、上述の第１の実施形態に係る移動通信システムとの相違点に着目して説明する。
【００５０】
本実施形態では、移動局ＵＥが、Ｅ-ＵＴＲＡＮ方式の無線アクセスネットワーク（第１無線アクセスネットワーク）のセルから、ＵＴＲＡＮ方式の無線アクセスネットワーク（第２無線アクセスネットワーク）のセルに、Ｉｎｔｅｒ-ＲＡＴハンドオーバを行う場合の例について説明する。
【００５１】
図５に示すように、Ｅ-ＵＴＲＡＮ方式の無線アクセスネットワーク内の無線基地局ｅＮＢ（第１無線アクセス装置、Ｓｏｕｒｃｅ-ｅＮＢ）が、ステップＳ２００において、移動局ＵＥのＵＴＲＡＮ方式の無線アクセスネットワークのセルからＥ-ＵＴＲＡＮ方式の無線アクセスネットワークのセルへのＩｎｔｅｒ-ＲＡＴハンドオーバの開始を決定すると、ステップＳ２０１において、モビリティ管理装置ＭＭＥ（Ｓｏｕｒｃｅ-ＭＭＥ）に対して、上述のＩｎｔｅｒ-ＲＡＴハンドオーバを行うことを要求する「Ｈａｎｄｏｖｅｒ  Ｒｅｑｕｉｒｅｄ」メッセージを送信する。
【００５２】
ステップＳ２０２において、モビリティ管理装置ＭＭＥが、交換局ＳＧＳＮ（Ｔａｒｇｅｔ-ＳＧＳＮ）に対して、「Ｆｏｒｗａｒｄ  Ｒｅｌｏｃａｔｉｏｎ  Ｒｅｑｕｉｒｅｄ」メッセージを送信する。
【００５３】
ステップＳ２０３において、交換局ＳＧＳＮが、ＵＴＲＡＮ方式の無線アクセスネットワーク内の無線回線制御局ＲＮＣ（第２無線アクセス装置、Ｔａｒｇｅｔ-ＲＮＣ）に対して、「Ｒｅｌｏｃａｔｉｏｎ  Ｒｅｑｕｅｓｔ」メッセージを送信する。
【００５４】
ここで、かかる「Ｒｅｌｏｃａｔｉｏｎ  Ｒｅｑｕｅｓｔ」メッセージには、交換局ＳＧＳＮと無線回線制御局ＲＮＣとの間で設定されている上りリンクデータ用トンネルの交換局ＳＧＳＮ側のエンドポイントを識別するための「ＴＥＩＤ」が含まれている。
【００５５】
ステップＳ２０４において、無線回線制御局ＲＮＣが、交換局ＳＧＳＮに対して、「Ｒｅｌｏｃａｔｉｏｎ  Ｒｅｑｕｅｓｔ  ＡＣＫ」メッセージを送信する。
【００５６】
ここで、かかる「Ｒｅｌｏｃａｔｉｏｎ  Ｒｅｑｕｅｓｔ  ＡＣＫ」メッセージには、交換局ＳＧＳＮと無線回線制御局ＲＮＣとの間で設定されている下りリンクデータ用トンネル＃Ｂ１の無線回線制御局ＲＮＣ側のエンドポイントを識別するための「ＴＥＩＤ」が含まれている。
【００５７】
なお、交換局ＳＧＳＮと無線回線制御局ＲＮＣとの間では、１本の下りリンクデータ用トンネル＃Ｂ１が設定されており、新規下りリンクデータ及び転送下りリンクデータの両者が、かかる下りリンクデータ用トンネル＃Ｂ１を介して送信されるように構成されている。
【００５８】
ステップＳ２０５において、交換局ＳＧＳＮが、モビリティ管理装置ＭＭＥに対して、「Ｆｏｒｗａｒｄ  Ｒｅｌｏｃａｔｉｏｎ  Ｒｅｓｐｏｎｓｅ」メッセージを送信する。
【００５９】
ここで、かかる「Ｆｏｒｗａｒｄ  Ｒｅｌｏｃａｔｉｏｎ  Ｒｅｓｐｏｎｓｅ」メッセージには、サービングゲートウェイ装置Ｓ-ＧＷと交換局ＳＧＳＮとの間で設定されている下りリンクデータ用トンネル＃Ｂ２の交換局ＳＧＳＮ側のエンドポイントを識別するための「ＴＥＩＤ」が含まれてもよい。
【００６０】
ここで、下りリンクデータ用トンネル＃Ｂ２の交換局ＳＧＳＮ側のエンドポイントを識別するための「ＴＥＩＤ」をサービングゲートウェイ装置Ｓ-ＧＷに通知するタイミングは、ステップＳ２０６のタイミングであってもよいし、ステップＳ２０６以降のタイミングであってもよい。
【００６１】
なお、サービングゲートウェイ装置Ｓ-ＧＷと交換局ＳＧＳＮとの間では、１本の下りリンクデータ用トンネル＃Ｂ２が設定されており、新規下りリンクデータ及び転送下りリンクデータの両者が、かかる下りリンクデータ用トンネル＃Ｂ２を介して送信されるように構成されている。
【００６２】
ステップＳ２０７において、モビリティ管理装置ＭＭＥが、無線基地局ｅＮＢに対して、「Ｈａｎｄｏｖｅｒ  Ｃｏｍｍａｎｄ」メッセージを送信する。
【００６３】
ここで、かかる「Ｈａｎｄｏｖｅｒ  Ｃｏｍｍａｎｄ」メッセージには、サービングゲートウェイ装置Ｓ-ＧＷと無線基地局ｅＮＢとの間で設定されている転送下りリンクデータ用トンネル＃Ｂ４のサービングゲートウェイ装置Ｓ-ＧＷ側のエンドポイントを識別するための「ＴＥＩＤ」が含まれている。
【００６４】
なお、新規下りリンクデータ用トンネル＃Ｂ３は、サービングゲートウェイ装置Ｓ-ＧＷと無線基地局ｅＮＢとの間で設定されているＩｎｔｅｒ-ＲＡＴハンドオーバ前の新規下りリンクデータ用トンネルである。
【００６５】
その後、サービングゲートウェイ装置Ｓ-ＧＷが、パススイッチを行った場合、すなわち、無線基地局ｅＮＢに下りリンクデータを送信する第１状態から、無線回線制御局ＲＮＣに下りリンクデータを送信する第２状態に切り替わった場合、図６に示すように、無線基地局ｅＮＢは、サービングゲートウェイ装置Ｓ-ＧＷから受信した下りリンクデータに特定情報を設定して無線回線制御局ＲＮＣに転送するように構成されている。
【００６６】
ここで、無線基地局ｅＮＢによる下りリンクデータに対する特定情報の設定方法は、上述の第１の実施形態に係る無線回線制御局ＲＮＣによる下りリンクデータに対する特定情報の設定方法と同様である。
【００６７】
なお、下りリンクデータは、上述のトンネル＃Ｂ１乃至＃Ｂ４内では、ＧＴＰ-Ｕヘッダが付与されているパケット形状で送信されるように構成されているものとする。
【００６８】
本発明の第２の実施形態に係る移動通信システムによれば、Ｉｎｔｅｒ-ＲＡＴハンドオーバが行われる際に、ハンドオーバ先の無線アクセス装置である無線回線制御局ＲＮＣが、特定情報が設定されているか否かに基づいて、転送下りリンクデータと新規下りリンクデータとを区別することができるため、両者についての順序制御を行うことができる。
【００６９】
（本発明の第３の実施形態に係る移動通信システム）
図７及び図８を参照して、本発明の第３の実施形態に係る移動通信システムについて説明する。以下、本実施形態に係る移動通信システムについて、上述の第１の実施形態に係る移動通信システムとの相違点に着目して説明する。
【００７０】
本実施形態では、移動局ＵＥが、ＵＴＲＡＮ方式の無線アクセスネットワーク（第１無線アクセスネットワーク）のセルから、Ｅ-ＵＴＲＡＮ方式の無線アクセスネットワーク（第２無線アクセスネットワーク）のセルに、Ｉｎｔｅｒ-ＲＡＴハンドオーバを行う場合の例について説明する。
【００７１】
図７におけるステップＳ３００乃至Ｓ３０８の動作は、図１におけるステップＳ１００乃至Ｓ１０８の動作と同一である。
【００７２】
ここで、図８に示すように、無線基地局ｅＮＢ（第２無線アクセス装置）とサービングゲートウェイ装置Ｓ-ＧＷとの間で、新規下りリンクデータ用トンネル＃Ａ１及び転送下りリンクデータ用トンネル＃Ａ２が設定されている。
【００７３】
また、サービングゲートウェイ装置Ｓ-ＧＷとＵＴＲＡＮ方式の無線アクセスネットワーク（第１無線アクセスネットワーク）に接続されている交換局ＳＧＳＮとの間で、新規下りリンクデータ用トンネル＃Ａ３及び転送下りリンクデータ用トンネル＃Ａ４が設定されている。
【００７４】
さらに、交換局ＳＧＳＮと無線回線制御局ＲＮＣ（第１無線アクセス装置）との間で、新規下りリンクデータ用トンネル＃Ａ５及び転送下りリンクデータ用トンネル＃Ａ６が設定されている。
【００７５】
ここで、サービングゲートウェイ装置Ｓ-ＧＷが、パススイッチを行った場合、すなわち、新規下りリンクデータ用トンネル＃Ａ３、＃Ａ５を介して無線回線制御局ＲＮＣに下りリンクデータを送信する第１状態から、新規下りリンクデータ用トンネル＃Ａ１を介して無線基地局ｅＮＢに下りリンクデータを送信する第２状態に切り替わった場合、無線回線制御局ＲＮＣが、サービングゲートウェイ装置Ｓ-ＧＷから受信した下りリンクデータを、転送下りリンクデータ用トンネル＃Ａ６、＃Ａ４、＃Ａ２を介して無線基地局ｅＮＢに転送するように構成されている。
【００７６】
かかる場合、サービングゲートウェイ装置Ｓ-ＧＷが、パススイッチを行った後で、かつ、新規下りリンクデータ用トンネル＃Ａ３、＃Ａ５を介して無線回線制御局ＲＮＣに対して最後の下りリンクデータを送信した後に、新規下りリンクデータ用トンネル＃Ａ３、＃Ａ５を介して、ＧＴＰ-Ｕメッセージである「Ｅｎｄ  Ｍａｒｋｅｒメッセージ（特定メッセージ）」を送信するように構成されてもよい。
【００７７】
そして、無線回線制御局ＲＮＣは、サービングゲートウェイ装置Ｓ−ＧＷが送信した「Ｅｎｄ  Ｍａｒｋｅｒメッセージ」を受信する場合、無線基地局ｅＮＢに対して、転送下りリンクデータ用トンネル＃Ａ６、＃Ａ４、＃Ａ２を介して「Ｅｎｄ  Ｍａｒｋｅｒメッセージ」を転送するように構成されている。
【００７８】
そして、無線基地局ｅＮＢは、ＧＴＰ-Ｕの「Ｅｎｄ  Ｍａｋｅｒメッセージ」を受信するまで、新規下りリンクデータ用トンネル＃Ａ１を介してサービングゲートウェイ装置Ｓ-ＧＷから送信された新規下りリンクデータよりも先に、転送下りリンクデータ用トンネル＃Ａ６、＃Ａ４、＃Ａ２を介して無線回線制御局ＲＮＣから転送された転送下りリンクデータを移動局ＵＥに送信する。
【００７９】
ここで、無線基地局ｅＮＢは、サービングゲートウェイ装置Ｓ-ＧＷから新規下りリンクデータ用トンネル＃Ａ１を介して受信した下りリンクデータを、新規下りリンクデータであると判定し、サービングゲートウェイ装置Ｓ-ＧＷから転送下りリンクデータ用トンネル＃Ａ２を介して受信した下りリンクデータを、転送下りリンクデータであると判定するように構成されている。
【００８０】
なお、下りリンクデータは、上述のトンネル＃Ａ１乃至＃Ａ６内では、ＧＴＰ-Ｕヘッダが付与されているパケット形状で送信されるように構成されているものとする。
【００８１】
本発明の第３の実施形態に係る移動通信システムによれば、Ｉｎｔｅｒ-ＲＡＴハンドオーバが行われる際に、ハンドオーバ先の無線アクセス装置である無線基地局ｅＮＢが、下りリンクデータが送信されたトンネルのＴＥＩＤに基づいて、転送下りリンクデータと新規下りリンクデータとを区別することができ、また、「Ｅｎｄ  Ｍａｋｅｒ」に基づいて、転送下りリンクデータの転送の完了を把握することができるため、両者についての順序制御を行うことができる。
【００８２】
（本発明の第４の実施形態に係る移動通信システム）
図９及び図１０を参照して、本発明の第４の実施形態に係る移動通信システムについて説明する。以下、本実施形態に係る移動通信システムについて、上述の第２の実施形態に係る移動通信システムとの相違点に着目して説明する。
【００８３】
本実施形態では、移動局ＵＥが、Ｅ-ＵＴＲＡＮ方式の無線アクセスネットワーク（第１無線アクセスネットワーク）のセルから、ＵＴＲＡＮ方式の無線アクセスネットワーク（第２無線アクセスネットワーク）のセルに、Ｉｎｔｅｒ-ＲＡＴハンドオーバを行う場合の例について説明する。
【００８４】
図９に示すように、ステップＳ４００乃至Ｓ４０３の動作は、図５におけるステップＳ２００乃至Ｓ２０３の動作と同一である。
【００８５】
ステップＳ４０４において、無線回線制御局ＲＮＣ（Ｔａｒｇｅｔ-ＲＮＣ）が、交換局ＳＧＳＮ（Ｔａｒｇｅｔ-ＳＧＳＮ）に対して、「Ｒｅｌｏｃａｔｉｏｎ  Ｒｅｑｕｅｓｔ  ＡＣＫ」メッセージを送信する。
【００８６】
ここで、かかる「Ｒｅｌｏｃａｔｉｏｎ  Ｒｅｑｕｅｓｔ  ＡＣＫ」メッセージには、交換局ＳＧＳＮと無線回線制御局ＲＮＣとの間で設定されている新規下りリンクデータ用トンネル＃Ｃ１の無線回線制御局ＲＮＣ側のエンドポイントを識別するための「ＴＥＩＤ」、及び、交換局ＳＧＳＮと無線回線制御局ＲＮＣとの間で設定されている転送下りリンクデータ用トンネル＃Ｃ２の無線回線制御局ＲＮＣ側のエンドポイントを識別するための「ＴＥＩＤ」が含まれている。
【００８７】
なお、交換局ＳＧＳＮと無線回線制御局ＲＮＣとの間では、新規下りリンクデータ用トンネル＃Ｃ１及び転送下りリンクデータ用トンネル＃Ｃ２が設定されており、新規下りリンクデータは、新規下りリンクデータ用トンネル＃Ｃ１を介して送信され、転送下りリンクデータは、転送下りリンクデータ用トンネル＃Ｃ２を介して送信されるように構成されている。
【００８８】
ステップＳ４０５において、交換局ＳＧＳＮが、モビリティ管理装置ＭＭＥ（Ｓｏｕｒｃｅ-ＭＭＥ）に対して、「Ｆｏｒｗａｒｄ  Ｒｅｌｏｃａｔｉｏｎ  Ｒｅｓｐｏｎｓｅ」メッセージを送信する。
【００８９】
ここで、かかる「Ｆｏｒｗａｒｄ  Ｒｅｌｏｃａｔｉｏｎ  Ｒｅｓｐｏｎｓｅ」メッセージには、サービングゲートウェイ装置Ｓ-ＧＷと交換局ＳＧＳＮとの間で設定されている新規下りリンクデータ用トンネル＃Ｃ３の交換局ＳＧＳＮ側のエンドポイントを識別するための「ＴＥＩＤ」、及び、サービングゲートウェイ装置Ｓ-ＧＷと交換局ＳＧＳＮとの間で設定されている転送下りリンクデータ用トンネル＃Ｃ４の交換局ＳＧＳＮ側のエンドポイントを識別するための「ＴＥＩＤ」が含まれてもよい。
【００９０】
ここで、新規下りリンクデータ用トンネル＃Ｃ３及び転送下りリンクデータ用トンネル＃Ｃ４の交換局ＳＧＳＮ側のエンドポイントを識別するための「ＴＥＩＤ」をサービングゲートウェイ装置Ｓ-ＧＷに通知するタイミングは、ステップＳ４０６のタイミングであってもよいし、ステップＳ４０６以降のタイミングであってもよい。
【００９１】
なお、サービングゲートウェイ装置Ｓ-ＧＷと交換局ＳＧＳＮとの間では、新規下りリンクデータ用トンネル＃Ｃ３及び転送下りリンクデータ用トンネル＃Ｃ４が設定されており、新規下りリンクデータは、新規下りリンクデータ用トンネル＃Ｃ３を介して送信され、転送下りリンクデータは、転送下りリンクデータ用トンネル＃Ｃ４を介して送信されるように構成されている。
【００９２】
ステップＳ４０７において、モビリティ管理装置ＭＭＥが、無線基地局ｅＮＢに対して、「Ｈａｎｄｏｖｅｒ  Ｃｏｍｍａｎｄ」メッセージを送信する。
【００９３】
ここで、かかる「Ｈａｎｄｏｖｅｒ  Ｃｏｍｍａｎｄ」メッセージには、サービングゲートウェイ装置Ｓ-ＧＷと無線基地局ｅＮＢとの間で設定されている転送下りリンクデータ用トンネル＃Ｃ６のサービングゲートウェイ装置Ｓ-ＧＷ側のエンドポイントを識別するための「ＴＥＩＤ」が含まれている。
【００９４】
なお、新規下りリンクデータ用トンネル＃Ｃ５は、サービングゲートウェイ装置Ｓ-ＧＷと無線基地局ｅＮＢとの間で設定されているＩｎｔｅｒ-ＲＡＴハンドオーバ前の新規下りリンクデータ用トンネルである。
【００９５】
その後、サービングゲートウェイ装置Ｓ-ＧＷが、パススイッチを行った場合、すなわち、新規下りリンクデータ用トンネル＃Ｃ５を介して無線基地局ｅＮＢに下りリンクデータを送信する第１状態から、新規下りリンクデータ用トンネル＃Ｃ３、＃Ｃ１を介して無線基地局ｅＮＢに下りリンクデータを送信する第２状態に切り替わった場合、無線基地局ｅＮＢが、サービングゲートウェイ装置Ｓ-ＧＷから受信した下りリンクデータを、転送下りリンクデータ用トンネル＃Ｃ６、＃Ｃ４、＃Ｃ２を介して無線回線制御局ＲＮＣに転送するように構成されている。
【００９６】
かかる場合、サービングゲートウェイ装置Ｓ-ＧＷが、パススイッチを行った後で、かつ、新規下りリンクデータ用トンネル＃Ｃ５を介して無線基地局ｅＮＢに対して最後の下りリンクデータを送信した後に、新規下りリンクデータ用トンネル＃Ｃ５を介して、ＧＴＰ-Ｕメッセージである「Ｅｎｄ  Ｍａｒｋｅｒメッセージ」を送信するように構成されてもよい。
【００９７】
そして、無線基地局ｅＮＢは、サービングゲートウェイ装置Ｓ-ＧＷによって送信された「Ｅｎｄ  Ｍａｒｋｅｒメッセージ」を受信した場合、無線回線制御局ＲＮＣに対して、転送下りリンクデータ用トンネル＃Ｃ６、＃Ｃ４、＃Ｃ２を介して、「Ｅｎｄ  Ｍａｒｋｅｒメッセージ」を転送するように構成されている。
【００９８】
そして、無線回線制御局ＲＮＣは、ＧＴＰ-Ｕメッセージである「Ｅｎｄ  Ｍａｒｋｅｒメッセージ」を受信するまで、新規下りリンクデータ用トンネル＃Ｃ３、＃Ｃ２を介してサービングゲートウェイ装置Ｓ-ＧＷから送信された新規下りリンクデータよりも先に、転送下りリンクデータ用トンネル＃Ｃ６、＃Ｃ４、＃Ｃ２を介して無線基地局ｅＮＢから転送された転送下りリンクデータを移動局ＵＥに送信する。
【００９９】
ここで、無線回線制御局ＲＮＣは、交換局ＳＧＳＮから新規下りリンクデータ用トンネル＃Ｃ１を介して受信した下りリンクデータを、新規下りリンクデータであると判定し、交換局ＳＧＳＮから転送下りリンクデータ用トンネル＃Ｃ２を介して受信した下りリンクデータを、転送下りリンクデータであると判定するように構成されている。
【０１００】
なお、下りリンクデータは、上述のトンネル＃Ｃ１乃至＃Ｃ６内では、ＧＴＰ-Ｕヘッダが付与されているパケット形状で送信されるように構成されているものとする。
【０１０１】
本発明の第４の実施形態に係る移動通信システムによれば、Ｉｎｔｅｒ-ＲＡＴハンドオーバが行われる際に、ハンドオーバ先の無線アクセス装置である無線回線制御局ＲＮＣが、下りリンクデータが送信されたトンネルのＴＥＩＤに基づいて、転送下りリンクデータと新規下りリンクデータとを区別することができ、また、「Ｅｎｄ  Ｍａｋｅｒ」に基づいて、転送下りリンクデータの転送の完了を把握することができるため、両者についての順序制御を行うことができる。
【０１０２】
（本発明の第５の実施形態に係る移動通信システム）
図１１及び図１２を参照して、本発明の第５の実施形態に係る移動通信システムについて説明する。以下、本実施形態に係る移動通信システムについて、上述の第１の実施形態に係る移動通信システムとの相違点に着目して説明する。
【０１０３】
本実施形態では、移動局ＵＥが、ＵＴＲＡＮ方式の無線アクセスネットワーク（第１無線アクセスネットワーク）のセルから、Ｅ-ＵＴＲＡＮ方式の無線アクセスネットワーク（第２無線アクセスネットワーク）のセルに、Ｉｎｔｅｒ-ＲＡＴハンドオーバを行う場合の例について説明する。
【０１０４】
図１１におけるステップＳ５００乃至Ｓ５０８の動作は、図１におけるステップＳ１００乃至Ｓ１０８の動作と同一である。
【０１０５】
その後、サービングゲートウェイ装置Ｓ-ＧＷが、パススイッチを行った場合、すなわち、新規下りリンクデータ用トンネル＃Ａ３、＃Ａ１を介して無線回線制御局ＲＮＣに下りリンクデータを送信する第１状態から、新規下りリンクデータ用トンネル＃Ａ５を介して無線基地局ｅＮＢに下りリンクデータを送信する第２状態に切り替わった場合、無線回線制御局ＲＮＣが、サービングゲートウェイ装置Ｓ-ＧＷから受信した下りリンクデータを、転送下りリンクデータ用トンネル＃Ａ２、＃Ａ４、＃Ａ６を介して無線基地局ｅＮＢに転送するように構成されている。
【０１０６】
ただし、サービングゲートウェイ装置Ｓ-ＧＷは、パススイッチを行った場合であっても、パススイッチを行う前に、無線回線制御装置ＲＮＣに対して送信した下りリンクデータ、すなわち、新規下りリンクデータ用トンネル＃Ａ３、＃Ａ１を介して送信した下りリンクデータの無線基地局ｅＮＢへの転送が全て終わるまでは、新規下りリンクデータ用トンネル＃Ａ５を介して、かかる下りリンクデータを無線基地局ｅＮＢに送信しないように構成されている。
【０１０７】
ここで、サービングデートウェイ装置Ｓ-ＧＷは、パススイッチを行った後で、かつ、新規下りリンクデータ用トンネル＃Ａ３、＃Ａ１を介して無線回線制御装置ＲＮＣに対して最後の下りリンクデータを送信した後に、ＧＴＰ-Ｕメッセージ「Ｅｎｄ  Ｍａｒｋｅｒメッセージ」を送信するように構成されている。
【０１０８】
そして、無線回線制御装置ＲＮＣは、「Ｅｎｄ  Ｍａｒｋｅｒメッセージ」を受信した場合、転送下りリンクデータ用トンネル＃Ａ２、＃Ａ４、＃Ａ６を介して、「Ｅｎｄ  Ｍａｒｋｅｒメッセージ」を転送する。
【０１０９】
よって、サービングゲートウェイ装置Ｓ-ＧＷは、トンネル＃Ａ４から「Ｅｎｄ  Ｍａｒｋｅｒメッセージ」を受信することによって、新規下りリンクデータ用トンネル＃Ａ３、＃Ａ１を介して送信した下りリンクデータの無線基地局ｅＮＢへの転送が完了したことを認識することができる。
【０１１０】
すなわち、サービングゲートウェイ装置Ｓ-ＧＷは、パススイッチを行った後に、新規下りリンクデータ用トンネル＃Ａ５を介して無線基地局ｅＮＢに送信する下りリンクデータをバッファリングしておき、トンネル＃Ａ４から「Ｅｎｄ  Ｍａｒｋｅｒメッセージ」を受信した後に、新規下りリンクデータ用トンネル＃Ａ５を介して無線基地局ｅＮＢに下りリンクデータを送信する。
【０１１１】
なお、下りリンクデータは、上述のトンネル＃Ａ１乃至＃Ａ６内では、ＧＴＰ-Ｕヘッダが付与されているパケット形状で送信されるように構成されているものとする。
【０１１２】
本発明の第５の実施形態に係る移動通信システムによれば、Ｉｎｔｅｒ-ＲＡＴハンドオーバが行われる際に、サービングゲートウェイ装置Ｓ-ＧＷが、ハンドオーバ先の無線アクセス装置である無線基地局ｅＮＢに対して、転送下りリンクデータを送信した後に新規下りリンクデータを送信するように構成されているため、無線基地局ｅＮＢにおいて特別の処理を行うことなく、転送下りリンクデータ及び新規下りリンクデータについての順序制御を行うことができる。
【０１１３】
（本発明の第６の実施形態に係る移動通信システム）
図１３及び図１４を参照して、本発明の第６の実施形態に係る移動通信システムについて説明する。以下、本実施形態に係る移動通信システムについて、上述の第２の実施形態に係る移動通信システムとの相違点に着目して説明する。
【０１１４】
本実施形態では、移動局ＵＥが、Ｅ-ＵＴＲＡＮ方式の無線アクセスネットワーク（第１無線アクセスネットワーク）のセルから、ＵＴＲＡＮ方式の無線アクセスネットワーク（第２無線アクセスネットワーク）のセルに、Ｉｎｔｅｒ-ＲＡＴハンドオーバを行う場合の例について説明する。
【０１１５】
図１３におけるステップＳ６００乃至Ｓ６０７の動作は、図５におけるステップＳ２００乃至Ｓ２０７の動作と同一である。
【０１１６】
ここで、交換局ＳＧＳＮと無線回線制御局ＲＮＣとの間では、１本の下りリンクデータ用トンネル＃Ｂ１が設定されており、新規下りリンクデータ及び転送下りリンクデータの両者が、かかる下りリンクデータ用トンネル＃Ｂ１を介して送信されるように構成されている。
【０１１７】
また、サービングゲートウェイ装置Ｓ-ＧＷと交換局ＳＧＳＮとの間では、１本の下りリンクデータ用トンネル＃Ｂ２が設定されており、新規下りリンクデータ及び転送下りリンクデータの両者が、かかる下りリンクデータ用トンネル＃Ｂ２を介して送信されるように構成されている。
【０１１８】
さらに、サービングゲートウェイ装置Ｓ-ＧＷと無線基地局ｅＮＢとの間では、新規下りリンクデータ用トンネル＃Ｂ３及び転送下りリンクデータ用トンネル＃Ｂ４が設定されており、新規下りリンクデータは、新規下りリンクデータ用トンネル＃Ｂ３を介して送信され、転送下りリンクデータは、転送下りリンクデータ用トンネル＃Ｂ４を介して送信されるように構成されている。
【０１１９】
その後、サービングゲートウェイ装置Ｓ-ＧＷが、パススイッチを行った場合、すなわち、新規下りリンクデータ用トンネル＃Ｂ３を介して無線基地局ｅＮＢに下りリンクデータを送信する第１状態から、新規下りリンクデータ用トンネル＃Ｂ２、＃Ｂ１を介して無線回線制御局ＲＮＣに下りリンクデータを送信する第２状態に切り替わった場合、無線基地局ｅＮＢが、サービングゲートウェイ装置Ｓ-ＧＷから受信した下りリンクデータを、転送下りリンクデータ用トンネル＃Ｂ４、＃Ｂ２、＃Ｂ１を介して無線回線制御局ＲＮＣに転送するように構成されている。
【０１２０】
ただし、サービングゲートウェイ装置Ｓ-ＧＷは、パススイッチを行った場合であっても、パススイッチを行う前に、無線基地局ｅＮＢに対して送信した下りリンクデータ、すなわち、新規下りリンクデータ用トンネル＃Ｂ３を介して送信した下りリンクデータの無線回線制御局ＲＮＣへの転送が全て終わるまでは、かかる下りリンクデータを無線回線制御局ＲＮＣに送信しないように構成されている。
【０１２１】
ここで、サービングゲートウェイ装置Ｓ-ＧＷは、パススイッチを行った後で、かつ、新規下りリンクデータ用トンネル＃Ｂ３を介して無線基地局ｅＮＢに対して最後の下りリンクデータを送信した後に、ＧＴＰ-Ｕメッセージである「Ｅｎｄ  Ｍａｒｋｅｒメッセージ」を送信するように構成されている。
【０１２２】
そして、無線基地局ｅＮＢは、「Ｅｎｄ  Ｍａｒｋｅｒメッセージ」を受信した場合、転送下りリンクデータ用トンネル＃Ｂ４、＃Ｂ２、＃Ｂ１を介して、「Ｅｎｄ  Ｍａｒｋｅｒメッセージ」を転送する。
【０１２３】
よって、サービングゲートウェイ装置Ｓ-ＧＷは、トンネル＃Ｂ４から介して「Ｅｎｄ  Ｍａｒｋｅｒメッセージ」を受信することによって、新規下りリンクデータ用トンネル＃Ｂ３を介して送信した下りリンクデータの無線回線制御装置ＲＮＣへの転送が全て完了したことを認識することができる。
【０１２４】
すなわち、サービングゲートウェイ装置Ｓ-ＧＷは、パススイッチを行った後に、下りリンクデータ用トンネル＃Ｂ２、＃Ｂ１を介して、無線回線制御装置ＲＮＣに送信する下りリンクデータをバッファリングしておき、トンネル＃Ｂ４から「Ｅｎｄ  Ｍａｒｋｅｒメッセージ」を受信した場合に、下りリンクデータ用トンネル＃Ｂ２、＃Ｂ１を介して無線回線制御装置ＲＮＣに下りリンクデータを送信する。
【０１２５】
なお、下りリンクデータは、上述のトンネル＃Ｂ１乃至＃Ｂ４内では、ＧＴＰ-Ｕヘッダが付与されているパケット形状で送信されるように構成されているものとする。
【０１２６】
本発明の第６の実施形態に係る移動通信システムによれば、Ｉｎｔｅｒ-ＲＡＴハンドオーバが行われる際に、サービングゲートウェイ装置Ｓ-ＧＷが、ハンドオーバ先の無線アクセス装置である無線回線制御局ＲＮＣに対して、転送下りリンクデータを送信した後に新規下りリンクデータを送信するように構成されているため、無線回線制御局ＲＮＣにおいて特別の処理を行うことなく、転送下りリンクデータ及び新規下りリンクデータについての順序制御を行うことができる。
【０１２７】
なお、上述の無線基地局ｅＮＢや無線回線制御局ＲＮＣや交換局ＳＧＳＮやサービングゲートウェイ装置Ｓ-ＧＷの動作は、ハードウェアによって実施されてもよいし、プロセッサによって実行されるソフトウェアモジュールによって実施されてもよいし、両者の組み合わせによって実施されてもよい。
【０１２８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１２９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや無線回線制御局ＲＮＣや交換局ＳＧＳＮやサービングゲートウェイ装置Ｓ-ＧＷ内に設けられていてもよい。また、かかる記憶媒体及びプロセッサは、ディスクリートコンポーネントとして無線基地局ｅＮＢや無線回線制御局ＲＮＣや交換局ＳＧＳＮやサービングゲートウェイ装置Ｓ-ＧＷ内に設けられていてもよい。
【０１３０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【０１３１】
【図１】本発明の第１の実施形態に係る移動通信システムで行われるＩｎｔｅｒ-ＲＡＴハンドオーバについて説明するための図である。
【図２】本発明の第１の実施形態に係る移動通信システムで行われるＩｎｔｅｒ-ＲＡＴハンドオーバ時のＵプレーンデータの順序制御について説明するための図である。
【図３】本発明の第１の実施形態に係る移動通信システムで行われるＩｎｔｅｒ-ＲＡＴハンドオーバの際に転送される下りリンクデータに付与されているＧＴＰ-Ｕヘッダの一例を示す図である。
【図４】本発明の第１の実施形態に係る移動通信システムで行われるＩｎｔｅｒ-ＲＡＴハンドオーバの際に転送される下りリンクデータに付与されているＧＴＰ-Ｕヘッダの一例を示す図である。
【図５】本発明の第２の実施形態に係る移動通信システムで行われるＩｎｔｅｒ-ＲＡＴハンドオーバについて説明するための図である。
【図６】本発明の第２の実施形態に係る移動通信システムで行われるＩｎｔｅｒ-ＲＡＴハンドオーバ時のＵプレーンデータの順序制御について説明するための図である。
【図７】本発明の第３の実施形態に係る移動通信システムで行われるＩｎｔｅｒ-ＲＡＴハンドオーバについて説明するための図である。
【図８】本発明の第３の実施形態に係る移動通信システムで行われるＩｎｔｅｒ-ＲＡＴハンドオーバ時のＵプレーンデータの順序制御について説明するための図である。
【図９】本発明の第４の実施形態に係る移動通信システムで行われるＩｎｔｅｒ-ＲＡＴハンドオーバについて説明するための図である。
【図１０】本発明の第４の実施形態に係る移動通信システムで行われるＩｎｔｅｒ-ＲＡＴハンドオーバ時のＵプレーンデータの順序制御について説明するための図である。
【図１１】本発明の第５の実施形態に係る移動通信システムで行われるＩｎｔｅｒ-ＲＡＴハンドオーバについて説明するための図である。
【図１２】本発明の第５の実施形態に係る移動通信システムで行われるＩｎｔｅｒ-ＲＡＴハンドオーバ時のＵプレーンデータの順序制御について説明するための図である。
【図１３】本発明の第６の実施形態に係る移動通信システムで行われるＩｎｔｅｒ-ＲＡＴハンドオーバについて説明するための図である。
【図１４】本発明の第６の実施形態に係る移動通信システムで行われるＩｎｔｅｒ-ＲＡＴハンドオーバ時のＵプレーンデータの順序制御について説明するための図である。
【図１５】従来の移動通信システムで行われるＩｎｔｅｒ-ＲＡＴハンドオーバ時のＵプレーンデータの順序制御について説明するための図である。
【符号の説明】
【０１３２】
ｅＮＢ…無線基地局
Ｓ-ＧＷ…サービングゲートウェイ装置
ＳＧＳＮ…交換局
ＲＮＣ…無線回線制御局
【図１】
2010157908.tif 000003
【図２】
2010157908.tif 000004
【図３】
2010157908.tif 000005
【図４】
2010157908.tif 000006
【図５】
2010157908.tif 000007
【図６】
2010157908.tif 000008
【図７】
2010157908.tif 000009
【図８】
2010157908.tif 000010
【図９】
2010157908.tif 000011
【図１０】
2010157908.tif 000012
【図１１】
2010157908.tif 000013
【図１２】
2010157908.tif 000014
【図１３】
2010157908.tif 000015
【図１４】
2010157908.tif 000016
【図１５】
2010157908.tif 000017
【手続補正書】
【提出日】平成21年12月15日(2009.12.15)
【手続補正１】
【補正対象書類名】特許請求の範囲
【補正対象項目名】全文
【補正方法】変更
【補正の内容】
【特許請求の範囲】
【請求項１】
移動局が、第１無線アクセスネットワーク内の第１無線アクセス装置又は第２無線アクセスネットワーク内の第２無線アクセス装置から下りリンクデータを受信する移動通信方法であって、
ゲートウェイ装置が、前記第１無線アクセス装置に前記下りリンクデータを送信する第１状態から、前記第２無線アクセス装置に該下りリンクデータを送信する第２状態に切り替わった場合、
前記第１無線アクセス装置が、前記ゲートウェイ装置から受信した該下りリンクデータを、前記第２無線アクセス装置に転送する工程と、
前記ゲートウェイ装置が、前記第１無線アクセス装置に対して、最後の下りリンクデータを送信した後に、最後の下りリンクデータを送信したことを示す特定メッセージを送信する工程と、
前記第１無線アクセス装置が、前記第２無線アクセス装置に対して、最後の下りリンクデータを転送した後に、前記特定メッセージを送信する工程と、
前記第２無線アクセス装置が、前記ゲートウェイ装置から送信された新規下りリンクデータよりも先に、前記第１無線アクセス装置から転送された転送下りリンクデータを前記移動局に送信し、前記特定メッセージを受信した後に、該新規下りリンクデータを該移動局に送信することを特徴とする移動通信方法。
【請求項２】
移動局が、第１無線アクセスネットワーク内の第１無線アクセス装置又は第２無線アクセスネットワーク内の第２無線アクセス装置から下りリンクデータを受信するように構成されている移動通信システムにおいて、該第２無線アクセス装置として動作することができる無線アクセス装置であって、
前記第２無線アクセス装置と前記第１無線アクセスネットワーク及び前記第２無線アクセスネットワークとを接続するゲートウェイ装置から、直接、下りリンクデータを受信するように構成されている第１受信部と、
前記ゲートウェイ装置から前記第１無線アクセス装置に送信された後に、該第１無線アクセス装置から転送された下りリンクデータを受信するように構成されている第２受信部と、
前記移動局に対して、前記第１受信部及び前記第２受信部によって受信された前記下りリンクデータを送信するように構成されている送信部とを具備し、
前記ゲートウェイ装置が、前記第１無線アクセス装置に前記下りリンクデータを送信する第１状態から、前記第２無線アクセス装置に該下りリンクデータを送信する第２状態に切り替わった場合、
前記送信部は、前記移動局に対して、前記第１受信部によって受信された前記下りリンクデータより先に、前記第２受信部によって受信された前記下りリンクデータを送信するように構成されており、
前記第２受信部が、前記第１無線アクセス装置において最後の下りリンクデータが転送されたことを示す特定メッセージを受信した後に、前記送信部は、前記移動局に対して、前記第１受信部によって受信された前記下りリンクデータを送信するように構成されていることを特徴とする無線アクセス装置。
【請求項３】
移動局が、第１無線アクセスネットワーク内の第１無線アクセス装置又は第２無線アクセスネットワーク内の第２無線アクセス装置から下りリンクデータを受信するように構成されている移動通信システムにおいて、該第１無線アクセス装置として動作することができる無線アクセス装置であって、
前記第２無線アクセス装置と前記第１無線アクセスネットワーク及び前記第２無線アクセスネットワークとを接続するゲートウェイ装置から下りリンクデータを受信するように構成されている受信部と、
前記第２無線アクセス装置に対して、前記受信部によって受信された前記下りリンクデータを転送するように構成されている転送部とを具備し、
前記ゲートウェイ装置が、前記第１無線アクセス装置に前記下りリンクデータを送信する第１状態から、前記第２無線アクセス装置に該下りリンクデータを送信する第２状態に切り替わった場合、
前記受信部が、前記ゲートウェイ装置から最後の下りリンクデータを送信したことを示す特定メッセージを受信すると、前記転送部は、前記第２無線アクセス装置に対して、最後の下りリンクデータを転送した後に、該特定メッセージを転送するように構成されていることを特徴とする無線アクセス装置。
【手続補正２】
【補正対象書類名】図面
【補正対象項目名】図１０
【補正方法】変更
【補正の内容】
【図１０】
2010157908.tif 000018